(57)【要約】【課題】ディスク装置のセットアップをテレビジョン受信装置側で可能とすることで、ユーザの利便性を向上させる。【解決手段】テレビジョン受信装置のＴＶ側マイコン２１は、ディスク装置の特定の設定項目であるクイックセットアップの設定が選択された場合には、そのクイックセットアップの設定情報をＴＶ側メモリ部２９に保存し、その後、ディスク装置が起動したときに、前記設定情報をディスク装置に送信し、ディスク装置のディスク側マイコン１１は、起動後にテレビジョン受信装置から送信されてきたクイックセットアップの設定情報を自装置のディスク側メモリ部１４に保存する。【選択図】図１
2007180750.tif 000002
【特許請求の範囲】
【請求項１】
ディスク装置の制御手段とテレビジョン受信装置の制御手段とがバス通信によって接続されたディスク装置内蔵型テレビジョン受信装置において、
ディスク装置の特定の設定項目をテレビジョン受信装置側で設定可能とするとともに、前記ディスク装置の設定項目としてドルビーデジタルのオン・オフ、デジタルシアターシステム（ＤＴＳ）のオン・オフ、テレビ画面モードの設定等の基本的な項目であるクイックセットアップの項目とより詳細な項目であるカスタムセットアップの項目とが用意されている場合において、前記特定の設定項目を前記クイックセットアップの項目とし、前記テレビジョン受信装置の制御手段は、ユーザによって設定された前記クイックセットアップの項目の設定情報を自装置の記憶手段に保存し、その後、前記ディスク装置が起動したときに、前記設定情報を前記ディスク装置に送信し、
前記ディスク装置の制御手段は、起動後に前記テレビジョン受信装置から送信されてきた前記クイックセットアップ項目の設定情報を自装置の記憶手段に保存することを特徴とするディスク装置内蔵型テレビジョン受信装置。
【請求項２】
ディスク装置の制御手段とテレビジョン受信装置の制御手段とがバス通信によって接続されたディスク装置内蔵型テレビジョン受信装置において、
前記ディスク装置の特定の設定項目を前記テレビジョン受信装置側で設定可能としたことを特徴とするディスク装置内蔵型テレビジョン受信装置。
【請求項３】
前記テレビジョン受信装置の制御手段は、ユーザによって設定された前記特定項目の設定情報を自装置の記憶手段に保存し、その後、前記ディスク装置が起動したときに、前記設定情報を前記ディスク装置に送信することを特徴とする請求項２に記載のディスク装置内蔵型テレビジョン受信装置。
【請求項４】
前記ディスク装置の制御手段は、起動後に前記テレビジョン受信装置から送信されてきた前記設定情報を自装置の記憶手段に保存することを特徴とする請求項３に記載のディスク装置内蔵型テレビジョン受信装置。
【請求項５】
前記特定の設定項目が、ディスク再生にのみ必要な設定項目である請求項２ないし請求項４のいずれかに記載のディスク装置内蔵型テレビジョン受信装置。
【請求項６】
前記ディスク装置の設定項目として基本的な項目であるクイックセットアップの項目とより詳細な項目であるカスタムセットアップの項目とが用意されている場合において、前記特定の設定項目が前記クイックセットアップの項目であることを特徴とする請求項２ないし請求項４のいずれかに記載のディスク装置内蔵型テレビジョン受信装置。
【発明の詳細な説明】
【技術分野】
【０００１】
本発明は、ディスク装置の制御手段とテレビジョン受信装置の制御手段とがバス通信によって接続されたディスク装置内蔵型テレビジョン受信装置に関する。
【背景技術】
【０００２】
ＤＶＤプレーヤ等のディスク装置を内蔵した従来のテレビジョン受信装置では、テレビジョン受信装置のセットアップとディスク装置のセットアップとは、それぞれ個別に行っていた。すなわち、テレビジョン受信装置の電源を入れて立ち上げ、リモコンのセットアップキーを押してテレビジョン受信装置側のセットアップ項目を表示し、順次セットアップを行った後、今度はディスク装置側の電源を入れて立ち上げ、リモコンのセットアップキーを押してディスク装置側のセットアップ項目を表示し、順次セットアップを行っていた。つまり、テレビジョン受信装置側のみを起動し、ディスク装置側の電源をオフしている状態では、ディスク装置側のセットアップを行うことができなかった。このことは、ディスク装置内蔵型テレビジョン受信装置であるにも係わらず、テレビジョン受信装置のセットアップとディスク装置のセットアップとが一連に操作できないといったユーザの不満となっていた。
【０００３】
ところで、ＤＶＤプレーヤとテレビジョン受信装置とをＳＣＡＲＴ端子を介して接続した映像・音響再生システムにおいて、映像・音響再生機器（ＤＶＤプレーヤ）側から映像・音響出力機器（テレビジョン受信装置）側の映像・音響特性を制御できるようにしたものが提案されている（例えば、特許文献１参照）。
【０００４】
この映像・音響再生システムによれば、映像・音響再生機器（ＤＶＤプレーヤ）から供給される動作モード切替信号に重畳されている映像・音響特性制御信号に基づいて、映像・音響出力機器（テレビジョン受信装置）の映像特性や音響特性を自動的に制御する構成となっている。具体的には、過去において再生されたことのあるディスクを再生した場合には、テレビジョン受信装置の映像特性及び音響特性の設定値が、同ディスクの過去の再生時においてユーザがテレビジョン受信装置に対して設定した映像特性及び音響特性の設定値に、自動的に設定されるようになっている。
【特許文献１】特開２００２−２９１０８７号公報
【発明の開示】
【発明が解決しようとする課題】
【０００５】
上記特許文献１のシステムによれば、ＤＶＤプレーヤ側での過去の操作内容をテレビジョン受信装置側で記憶しておくことで、その後のＤＶＤプレーヤの再生動作を自動的に設定することができる。しかし、ＤＶＤプレーヤやテレビジョン受信装置の電源立ち上げ時のセットアップについては、全く連係されていない。
【０００６】
ところで、ＤＶＤプレーヤを内蔵したテレビジョン受信装置においては、ＤＶＤ側の制御手段とテレビ側の制御手段とがバス通信によって接続されている。従って、このようなバス通信を利用すれば、テレビジョン受信装置側でＤＶＤ装置のセットアップを行った後、ＤＶＤ装置の電源が立ち上げられたとき、そのセットアップ内容をＤＶＤ装置側に送信することで、ＤＶＤ装置側でのセットアップを簡略化することが可能である。
【０００７】
本発明はかかる実情に鑑みて創案されたもので、その目的は、ディスク装置のセットアップをテレビジョン受信装置側で可能とすることで、ユーザの利便性を向上させたディスク装置内蔵型テレビジョン受信装置を提供することにある。
【課題を解決するための手段】
【０００８】
上記課題を解決するため、本発明のディスク装置内蔵型テレビジョン受信装置は、ディスク装置の制御手段とテレビジョン受信装置の制御手段とがバス通信によって接続されたディスク装置内蔵型テレビジョン受信装置において、前記ディスク装置の特定の設定項目を前記テレビジョン受信装置側で設定可能としたことを特徴とする。すなわち、前記テレビジョン受信装置の制御手段は、ユーザによって設定された前記特定項目の設定情報を自装置の記憶手段に保存し、その後、前記ディスク装置が起動したときに、前記設定情報を前記ディスク装置に送信する。前記ディスク装置の制御手段は、起動後に前記テレビジョン受信装置から送信されてきた前記設定情報を自装置の記憶手段に保存する。
【０００９】
ここで、前記特定の設定項目は、ディスク再生にのみ必要な設定項目とする。具体的には、前記ディスク装置の設定項目として基本的な項目であるクイックセットアップの項目と、より詳細な項目であるカスタムセットアップの項目とが用意されている場合において、前記特定の設定項目を前記クイックセットアップの項目とする。具体的には、ドルビーデジタルのオン・オフ、デジタルシアターシステム（ＤＴＳ）のオン・オフ、テレビ画面モードの設定等の基本的な項目である。ただし、クイックセットアップの項目は、ここに例示した項目に限定されるものではない。
【００１０】
このように、ディスク装置のクイックセットアップを、テレビジョン受信装置側で設定できるように構成したので、ユーザは、テレビジョン受信装置のセットアップを行うときに、ディスク装置側の電源がオフ状態であっても、続けてディスク装置側のセットアップ、この場合にはクイックセットアップの設定を行うことができるため、使い勝手が良くなる。また、テレビジョン受信装置側で設定する項目は、ディスク装置側でよく変更する設定のみとすることで、通信により同期をとる際のタイムラグを抑えることができる。つまり、ディスク装置起動時に同期させたとしても起動が遅くなるのを防ぐことができる。
【発明の効果】
【００１１】
本発明のディスク装置内蔵型テレビジョン受信装置によれば、ディスク装置の特定の設定項目をテレビジョン受信装置側で設定可能としたので、ユーザは、テレビジョン受信装置の項目を設定するときに、ディスク装置側の電源がオフ状態であっても、続けてディスク装置の特定の項目を設定することができる。これにより、ユーザにとってはテレビジョン受信装置の設定とディスク装置の設定とを一連に行うことができるため、使い勝手が向上するものである。すなわち、ディスク装置内蔵型のテレビジョン受信装置であるにも係わらず、テレビジョン受信装置側の設定とディスク装置側の設定とをそれぞれ個別に電源を立ち上げて行わなければならないといった従来の煩わしさを解消することができる。
【発明を実施するための最良の形態】
【００１２】
以下、本発明の実施の形態について、図面を参照して説明する。
【００１３】
図１は、本実施形態に係わるディスク装置（例えばＤＶＤ装置）内蔵型テレビジョン受信装置の要部の電気的構成を示す機能ブロック図である。ただし、本実施形態では、ＤＶＤ装置によるディスク再生処理や、テレビジョン受信装置による映像及び音声の信号処理については従来周知の処理であるので、ここではそれぞれディスク信号処理部及びＴＶ信号処理部として簡単な機能ブロックで示している。
【００１４】
すなわち、本実施形態のディスク装置内蔵型テレビジョン受信装置は、ディスク１３を再生するディスク制御系１０と、ＴＶ制御系２０とが１つの筐体内に機能的に連係されて格納されたもので、ディスク制御系１０全体を制御するディスク側マイコン（ディスク側制御手段）１１と、ＴＶ制御系２０全体を制御するＴＶ側マイコン（テレビ側制御手段）２１とがバス通信３５によって双方向に接続された構成となっている。
【００１５】
ディスク側マイコン１１は、本体内に装填されたディスク１３の種類を判別する判別処理や、ディスクの種類に応じた再生処理を行うディスク信号処理部１２を制御する。ディスク信号処理部１２の出力は、切換回路２５を介してＣＲＴまたはディスプレイ等の表示部２６に接続されている。また、ディスク信号処理部１２は、ディスク装置側の各種設定を行うためのセットアップ画面を含む各種設定画面を表示するためのＯＳＤ回路１２ａを備えている。
【００１６】
また、ディスク側マイコン１１は、セットアップ画面において設定した内容や、後述するＴＶ側マイコン２１から送信されてきたセットアップの内容を記憶（保存）するディスク側メモリ部（ＥＥＰＲＯＭ等）１４を備えている。
【００１７】
一方、テレビジョン信号を受信するチューナ回路２２の出力はＴＶ信号処理部２４に接続されており、ＴＶ信号処理部２４の出力は、切換回路２５を介してＣＲＴまたはディスプレイ等の表示部２６に接続されている。また、ＴＶ信号処理部２４の出力は、増幅器２７を介して内部スピーカ２８に接続されている。ＴＶ信号処理部２４は、テレビジョン受信装置側の各種設定を行うためのセットアップ画面や後述するディスク装置側の各種設定を行うためのセットアップ画面を含む各種設定画面を表示するためのＯＳＤ回路２４ａを備えている。
【００１８】
ＴＶ側マイコン２１は、チューナ回路２２を介して受信したテレビジョン信号を映像信号や音声信号に復号し、映像信号を表示部２６に表示するとともに音声信号を内部スピーカ２８から出力するＴＶ信号処理部２４を制御する。また、ＴＶ側マイコン２１は、セットアップ画面において設定した内容を記憶するＴＶ側メモリ部（ＥＥＰＲＯＭ等）２９を備えている。また、ＴＶ側マイコン２１は、ディスク装置のセットアップ画面も表示可能となっており、ディスク装置のセットアップ画面において設定した内容もＴＶ側メモリ部２９に記憶（保存）するようになっている。ここで、本実施形態では、テレビジョン受信装置側で設定可能なディスク装置のセットアップは、クイックセットアップのみとなっており、カスタムセットアップについてはいままで通りディスク装置側での設定となっている。
【００１９】
また、ＴＶ側マイコン２１には、リモコン４１からの各種操作信号を受信する受信部３１の出力が接続されている。ＴＶ側マイコン２１は、このリモコン４１から送信されてくる各種操作信号に基づいて、ディスク制御系１０及びＴＶ制御系２０の動作制御を行うようになっている。すなわち、本実施形態では、ディスク制御系１０の電源オン、オフを含む全ての制御信号が、ＴＶ側マイコン２１を通じてディスク側マイコン１１に送信されるようになっている。また、切換回路２５の切り換え制御はＴＶ側マイコン２１によって行われるようになっている。
【００２０】
次に、上記構成のディスク装置内蔵型テレビジョン受信装置において、リモコン４１を使用して、テレビジョン受信装置側でディスク装置のセットアップを行った場合の、ＴＶ側マイコン２１及びディスク側マイコン１１による処理動作について、図２及び図３に示すフローチャート、及び図４に示す表示部への表示画面例を参照して説明する。なお、図２はディスク側マイコン１１の処理動作、図３はＴＶ側マイコン２１の処理動作である。
【００２１】
ユーザは、リモコン４１を使用して、テレビジョン受信装置の電源を入れて立ち上げ、図示しないリモコン４１のセットアップキーを押してテレビジョン受信装置のセットアップ画面を表示部２６に表示する（ステップＳ１，Ｓ２）。
【００２２】
このとき、セットアップ画面には、図４（ａ）に示すように、テレビジョン受信装置側のセットアップかディスク装置側のセットアップかを選択する選択画面が表示される。ここで、ユーザが、ディスク装置側のセットアップを選択すると（ステップＳ３でＹｅｓと判断されると）、表示部２６には、図４（ｂ）に示すディスク装置側のセットアップ画面が表示される（ステップＳ４）。ただし、ここで表示されるセットアップ画面はクイックセットアップ画面である。
【００２３】
セットアップの項目には、基本的な項目であるクイックセットアップ項目と、より詳細な項目であるカスタムセットアップ項目とが用意されているが、本実施形態では、このうちディスク装置のクイックセットアップの設定のみテレビジョン受信装置側で設定可能とし、ディスク装置のカスタムセットアップについては、従来通りディスク装置側の電源を入れて立ち上げたときに、ディスク装置側で設定するものとしている。
【００２４】
図４（ｂ）に示すクイックセットアップ画面では、クイックセットアップ項目として、ドルビーデジタルのオン・オフ、デジタルシアターシステム（ＤＴＳ）のオン・オフ、テレビ画面モード、の３項目の設定が可能となっている。ただし、ここに例示したクイックセットアップの項目は一例であり、これに限定されるものではない。
【００２５】
従って、ユーザは、これらの設定項目を順次選択して各項目の設定を行う（ステップＳ５）。その設定内容は、ＴＶ側メモリ部２９に記憶される（ステップＳ６）。
【００２６】
次に、ＴＶ側マイコン２１は、この時点でディスク装置の電源がオン状態であるか否かを確認する（ステップＳ７）。その結果、ディスク装置の電源がオンされている場合（ステップＳ７でＹｅｓと判断された場合）には、ＴＶ側メモリ部２９に記憶しておいたディスク装置のクイックセットアップの設定内容をディスク装置側に送信する（ステップＳ８）。
【００２７】
なお、図４（ａ）に示す選択画面において、ユーザがテレビジョン受信装置のセットアップを選択した場合（ステップＳ３でＮｏと判断された場合）には、表示部２６にテレビジョン受信装置のクイックセットアップ画面が表示されるので、ユーザは、このクイックセットアップ画面によって各項目の設定を行う。その設定内容は、ＴＶ側メモリ部２９に記憶される（ステップＳ９）。また、必要に応じカスタムセットアップ画面を表示して、各項目の設定を行う。その設定内容も、ＴＶ側メモリ部２９に記憶される。
【００２８】
なお、上記実施形態では、ディスク装置のクイックセットアップの設定内容をＴＶ側メモリ部２９に記憶した後、ディスク装置の電源がオン状態であるか否かを確認する構成（ステップＳ６，Ｓ７）としているが、テレビジョン受信装置側でディスク装置のセットアップを行うときに、ディスク装置側も電源オン状態である場合には、クイックセットアップの設定内容をＴＶ側メモリ部２９に記憶せず、そのままディスク装置側に送信するように構成してもよい。また、上記実施形態では、ディスク装置のクイックセットアップのみをテレビジョン受信装置側で設定可能な構成としているが、カスタムセットアップの設定もテレビジョン受信装置側で設定可能としてもよい。
【００２９】
一方、ディスク装置の電源がオンされると、ディスク側マイコン１１は、ＴＶ側マイコン２１との通信によってディスク装置のクイックセットアップがテレビジョン受信装置側で設定されているか否かを確認し（ステップＳ１１）、設定されている場合（ステップＳ１１でＹｅｓと判断された場合）には、ＴＶ側マイコン２１から送信されてくる設定内容を受信し（ステップＳ１２）、その設定内容をディスク側メモリ部１４に記憶する（ステップＳ１３）。
【００３０】
一方、ディスク側マイコン１１は、ＴＶ側マイコン２１との通信によってディスク装置のクイックセットアップがテレビジョン受信装置側で設定されていないことを確認した場合（ステップＳ１１でＮｏと判断された場合）には、その後のリモコン４１の操作に従って、その他の処理を実行する（ステップＳ１４）。例えば、ここでクイックセットアップが選択された場合には、表示部２６にクイックセットアップ画面を表示して、順次設定することになる。また、カスタムセットアップが選択された場合には、表示部２６にカスタムセットアップ画面を表示して、順次設定することになる。これらの設定内容は、ディスク側メモリ部１４に記憶される。
【図面の簡単な説明】
【００３１】
【図１】本発明のディスク装置内蔵型テレビジョン受像機の要部の電気的構成を示す機能ブロック図である。
【図２】テレビジョン受信装置側でディスク装置のセットアップを行った場合のＴＶ側マイコンによる処理動作を説明するためのフローチャートである。
【図３】テレビジョン受信装置側でディスク装置のセットアップを行った場合のディスク側マイコンによる処理動作を説明するためのフローチャートである。
【図４】テレビジョン受信装置側でディスク装置のセットアップを行った場合の表示部への表示画面例を示す説明図である。
【符号の説明】
【００３２】
１０  ディスク制御系
１１  ディスク側マイコン
１２  ディスク信号処理部
１２ａ  ＯＳＤ回路
１３  ディスク
１４  ディスク側メモリ部
２０  ＴＶ制御系
２１  ＴＶ側マイコン
２２  チューナ回路
２４  ＴＶ信号処理部
２４ａ  ＯＳＤ回路
２５  切換回路
２６  表示部
２７  増幅器
２８  スピーカ
２９  ＴＶ側メモリ部
３０  受信部
３５  バス通信
４１  リモコン
【図１】
2007180750.tif 000003
【図２】
2007180750.tif 000004
【図３】
2007180750.tif 000005
【図４】
2007180750.tif 000006